(57)【要約】【課題】  下枠の上面がバリアフリーのフラット構造でありながら下枠と折戸の隙間を封止して水気密性の向上が図れると共に、封止部材の設置スペースの縮小化及び連動機構の構造の簡素化が図れる折戸装置を提供する。【解決手段】  上枠２ａ、下枠２ｂ及び左右の縦枠２ｃ，２ｄからなる枠体２と、該枠体２内に折り畳み開閉可能に設けられ、２枚の戸体３，３をヒンジ４を介して連結してなる１または複数の折戸５とを備え、前記下枠２ｂの上面を略平面に形成すると共に、該下枠２ｂに折戸開閉に係わる部材と連動し、折戸閉鎖時に下枠２ｂ内から上方に突出して下枠２ｂと折戸５との隙間を封止し、折戸開放時に下枠２ｂ内に退避する封止部材５を突没可能に設けている。【選択図】          図４
2007023562.tif 000002
【特許請求の範囲】
【請求項１】
上枠、下枠及び左右の縦枠からなる枠体と、該枠体内に折り畳み開閉可能に設けられ、２枚の戸体をヒンジを介して連結してなる１または複数の折戸とを備え、前記下枠の上面を略平面に形成すると共に、該下枠に折戸開閉に係わる部材と連動し、折戸閉鎖時に下枠内から上方に突出して下枠と折戸との隙間を封止し、折戸開放時に下枠内に退避する封止部材を突没可能に設けたことを特徴とする折戸装置。
【請求項２】
上枠、下枠及び左右の縦枠からなる枠体と、該枠体内に折り畳み開閉可能に設けられ、２枚の戸体をヒンジを介して連結してなる１または複数の折戸と、該折戸に設けられ、ハンドルの操作でロッドを下枠内に挿入又は離脱させて施解錠を行う落とし錠とを備え、前記下枠の上面を略平面に形成すると共に、該下枠に前記落とし錠のロッドと連動し、施錠時に下枠内から上方に突出して下枠と折戸との隙間を封止し、解錠時に下枠内に退避する封止部材を連動機構を介して突没可能に設けていることを特徴とする折戸装置。
【発明の詳細な説明】
【技術分野】
【０００１】
本発明は、折戸装置に係り、特に下枠の上面をバリアフリーのフラット構造にすると共に閉鎖時の折戸と下枠間の水気密性の向上を図った折戸装置に関する。
【背景技術】
【０００２】
折戸装置としては、浴室と脱衣室の間の開口に設けられる戸枠の下枠上面及び浴室側と脱衣室側の床面を略同一にしたバリアフリー仕様とすると共に、浴室側からのオーバーフロー等の漏水を防止するために下枠にフラップ式止水装置を設けたものが知られている（特許文献１）。図８は従来の折戸装置に設けられたラップ式止水装置を概略的に示す斜視図である。このフラップ式止水装置４３は、下枠４２の上面に横長板状のフラップ材４４を脱衣室側の一辺を支点に浴室側が起倒するように回動自在に設けている。戸枠に取付けられた浴室ドアとしての折戸を閉じた時に、フラップ材４４の両端が略同時に吊り上げられるようにフラップ材４４の起倒機構を収容した筐体４５を戸枠の両サイドに配置している。
【０００３】
折戸の吊先框及び吊元框の下部には起倒機構のスイッチとなる押圧部材が設けられている。筐体４５内には、起倒機構として、折戸を閉めた時に押されて初期位置から略水平方向にスライドし、折戸を開けた時に押圧部材から開放されて初期位置に戻るラッチ部材４６と、一端がラッチ部材のスライドに同調し、初期位置から略水平方向にスライドすると共に、他端が斜め上方にスライドし、一方、ラッチ部材４６の戻り動作に同調してその初期位置に戻る第１アーム部材としてのアームと、一端がアームと同調し、その初期位置から上方に変位し、一方、アームの戻り動作に同調して初期位置に戻る第２アーム部材としてのバネとが収容されている。
【０００４】
ラッチ部材４６は平面楔状に成形され、その楔部が筐体４５の開口４７から出没可能に取付けられている。ラッチ部材の基部にはラッチ部材を常時開口方向に付勢するバネが取付けられ、楔部が開口から突出している状態が初期位置となっている。折戸を閉めると、押圧部材がラッチ部材４６を筐体４５の開口４７に押し込むようになり、その結果、ラッチ部材４６のスライド力がアームに伝達されて吊り上げ力に変換され、バネによりフラップ材４４の吊り上げが行われ、フラップ材４４が脱衣室側を支点に回動して浴室方向に向かって斜め上方に傾斜した状態に起立し、逆に折戸を開けると、フラップ材４４が水平に倒伏するようになっている。
【０００５】
【特許文献１】特開２００４−２９３０５１号公報
【発明の開示】
【発明が解決しようとする課題】
【０００６】
しかしながら、特許文献１に記載のものにおいては、フラップ材が下枠と折戸の隙間を封止する機能を具備していないため、室内と室外の間の開口に設けられて水気密性が要求される折戸装置には適用することが難しい。また、フラップ材が水平の倒伏状態から傾斜した起立状態に起倒変位する構造上、フラップ材を設置するための広い設置スペースを要すると共に、連動機構である起倒機構の構造の煩雑化を余儀なくされている。
【０００７】
本発明は、上記事情を考慮してなされたものであり、下枠の上面がバリアフリーのフラット構造でありながら下枠と折戸の隙間を封止して水気密性の向上が図れると共に、封止部材の設置スペースの縮小化及び連動機構の構造の簡素化が図れる折戸装置を提供することを目的とする。
【課題を解決するための手段】
【０００８】
前記目的を達成するために、本発明のうち請求項１に係わる発明は、上枠、下枠及び左右の縦枠からなる枠体と、該枠体内に折り畳み開閉可能に設けられ、２枚の戸体をヒンジを介して連結してなる１または複数の折戸とを備え、前記下枠の上面を略平面に形成すると共に、該下枠に折戸開閉に係わる部材と連動し、折戸閉鎖時に下枠内から上方に突出して下枠と折戸との隙間を封止し、折戸開放時に下枠内に退避する封止部材を突没可能に設けたことを特徴とする。
【０００９】
請求項２に係わる発明は、上枠、下枠及び左右の縦枠からなる枠体と、該枠体内に折り畳み開閉可能に設けられ、２枚の戸体をヒンジを介して連結してなる１または複数の折戸と、該折戸に設けられ、ハンドルの操作でロッドを下枠内に挿入又は離脱させて施解錠を行う落とし錠とを備え、前記下枠の上面を略平面に形成すると共に、該下枠に前記落とし錠のロッドと連動し、施錠時に下枠内から上方に突出して下枠と折戸との隙間を封止し、解錠時に下枠内に退避する封止部材を連動機構を介して突没可能に設けていることを特徴とする。
【発明の効果】
【００１０】
請求項１に係わる発明によれば、上枠、下枠及び左右の縦枠からなる枠体と、該枠体内に折り畳み開閉可能に設けられ、２枚の戸体をヒンジを介して連結してなる１または複数の折戸とを備え、前記下枠の上面を略平面に形成すると共に、該下枠に折戸開閉に係わる部材と連動し、折戸閉鎖時に下枠内から上方に突出して下枠と折戸との隙間を封止し、折戸開放時に下枠内に退避する封止部材を突没可能に設けているため、下枠の上面がバリアフリーのフラット構造でありながら下枠と折戸の隙間を封止して水気密性の向上が図れると共に、封止部材の設置スペースの縮小化及び連動機構の構造の簡素化が図れる。
【００１１】
請求項２に係わる発明は、上枠、下枠及び左右の縦枠からなる枠体と、該枠体内に折り畳み開閉可能に設けられ、２枚の戸体をヒンジを介して連結してなる１または複数の折戸と、該折戸に設けられ、ハンドルの操作でロッドを下枠内に挿入又は離脱させて施解錠を行う落とし錠とを備え、前記下枠の上面を略平面に形成すると共に、該下枠に前記落とし錠のロッドと連動し、施錠時に下枠内から上方に突出して下枠と折戸との隙間を封止し、解錠時に下枠内に退避する封止部材を連動機構を介して突没可能に設けているため、下枠の上面がバリアフリーのフラット構造でありながら下枠と折戸の隙間を封止して水気密性の向上が図れると共に、封止部材の設置スペースの縮小化及び連動機構の構造の簡素化が図れる。
【発明を実施するための最良の形態】
【００１２】
以下に、本発明を実施するための最良の形態について、添付図面を基に詳述する。図１は本発明の実施の形態である折戸装置を概略的に示す室内側正面図、図２は折戸装置の概略的横断面図、図３は折戸を開けた状態を示す概略的横断面図、図４は下枠に設けた封止部材の動きを説明する説明図、図５は同要部拡大断面図である。
【００１３】
これらの図において、１は建物の開口部例えば居間（室内）とテラス（室外）の間の開口部に設けられる折戸装置で、この折戸装置１は、上枠２ａ、下枠２ｂ及び左右の縦枠２ｃ，２ｄからなる枠体２と、該枠体２内に折り畳み開閉可能に設けられ、２枚の戸体３，３をヒンジ４を介して連結してなる１または複数の折戸５とを備えている。図１は折戸５が２つの場合の例を示し、図２は折戸５が１つの場合の例を示している。折戸装置としては、枠体内に折戸を３つ以上備えていてもよい。折戸の一端にはこれを枠体２の所定位置に位置決め固定するための固定手段が設けられていてもよい。
【００１４】
折戸５の上部両端には折戸を吊持するための吊りローラ６が設けられ、折戸５の下部両端には折戸を室内外方向に振れないように規制する規制ローラ７が設けられている。上枠２ａには吊りローラ６を走行可能に支持するガイドレール８が形成され、下枠２ｂには規制ローラ７を案内するガイド溝９が形成されている。
【００１５】
枠体２を構成する枠材は、例えばアルミニウム合金の押出形材からなる。枠材としては、結露防止のために室内露出面に断熱用の樹脂形材が取付けられたもの等であってもよい。戸体３は、例えば上框１０ａ、下框１０ｂ及び左右の縦框１０ｃ，１０ｄからなる框組内にパネル例えばガラスパネル１１を装着してなる。
【００１６】
折戸５としては、屈曲性を考慮して、２枚の戸体３，３の間に中間縦框１２を配し、該中間縦框１２と各戸体３をヒンジ４で連結し、２枚の戸体３，３の両端部に補助縦框１３，１３を配し、各補助縦框１３と戸体３をヒンジ１４で連結したものであってもよい。補助縦框１３の上端部に吊りローラ６が取付けられ、補助縦框１３の下端部に規制ローラ７が取付けられている。
【００１７】
戸体３を構成する框材、中間縦框１２及び補助縦框１３は、例えばアルミニウム合金の押出形材からなる。枠材としては、結露防止のために室内露出面に断熱用の樹脂形材１５ａ，１５ｂが取付けられたもの等であってもよい。ヒンジ４は断面略Ｃ字状の外ヒンジ片４ｘと、該外ヒンジ片４ｘ内に回動可能に嵌合された内ヒンジ片４ｙとからなり、外ヒンジ片４ｘが縦框１０ｃに、内ヒンジ片４ｙが中間縦框１２に形成されていてもよい。同様に、ヒンジ１４は、外ヒンジ片１４ｘと内ヒンジ片１４ｙからなり、外ヒンジ片１４ｘが縦框１０ｄに、内ヒンジ片１４ｙが補助縦框１３に形成されていてもよい。
【００１８】
中間縦框１２と縦框１０ｃとの間には、室内側に前記ヒンジ４が設けられ、室外側に中間縦框１２と縦框１０ｃとの隙間を封止する気密材３７が設けられていることが好ましい。補助縦框１３と縦框１０ｄとの間には、室外側に前記ヒンジ１４が設けられ、室内側に補助縦框１３と縦框１０ｄとの隙間を封止する気密材３８が設けられていることが好ましい。また、補助縦框１３と縦枠２ｃ、２ｄとの間には、これらの隙間を封止する気密材３９が設けられていることが好ましい。框材としては、結露防止のために室内露出面に断熱用の樹脂形材が取付けられたもの等であってもよい。補助縦框１３の室内側には折戸を開閉操作するための補助把手４０が突設されていることが好ましい。
【００１９】
一方、折戸装置１は、ハンドル１６の操作でロッド１７を下枠２ｂ内に挿入又は離脱させて施解錠を行う施解錠装置である落とし錠１８を備えている。折戸５の中間部である中間縦框１２には、室内側から折戸５を開閉操作するため及び落とし錠１８を施解錠操作するためのハンドル１６が設けられている。落とし錠１８は、例えば折戸５の中間部である中間縦框１２の下部に設けられている。この落とし錠１８は、中間縦框１２の下端から下方へ突没可能に設けられたロッド１９と、下枠２ｂに設けられ、下方に突出したロッド１９が挿入される溝部２０とから主に構成されている。中間縦框１２にはハンドル１６の回動を上下動に変換して前記ロッド１９を昇降動させるための図示しない変換機構が設けられている。
【００２０】
ハンドル１６を介して折戸５の中間部を室外側に押し出し、折戸５を平面略逆Ｖ字状に折り曲げる（折り畳む）ことにより折戸が開放され、この開放状態から逆にハンドル１６を介して折戸５の中間部を室内側に引き込み、折戸５を横方向に一直線状に展張させることにより折戸が閉鎖される。この閉鎖状態で、ハンドル１６を例えば反時計方向に９０°回動することにより変換機構を介してロッド１７を下方へ突出させ、溝部２０に挿入して施錠状態になる。この施錠状態において、ハンドル１６を時計方向に９０°回動することによりロッド１７を溝部２０から引き抜いて解錠させることができる。
【００２１】
落とし錠１８は、下枠２ｂ上に形成されたガイド溝９と、該ガイド溝９より室内側に形成された溝部２０とを仕切る溝壁２１の室内側にロッド１７を挿入させることにより、ロッド２０が溝壁２１の室内面に当接され、折戸５を閉鎖状態に施錠するように構成されている。なお、落とし錠１８は、折戸５の中間縦框１２の上部にも設けられていても良く、上下の落とし錠が変換機構を介して共通のハンドル１６で施解錠操作されるように構成されていてもよい。
【００２２】
前記下枠２ｂには、折戸開閉に係わる部材である例えば落とし錠１８のロッド１７と連動し、施錠時に下枠２ｂ内から上方に突出して下枠２ｂと折戸５との隙間を封止し、解錠時に下枠２ｂ内に退避する封止部材２２が連動機構２３を介して突没可能に設けられている。封止部材２２及び連動機構２３は、下枠２ｂ内である溝部２０に配置されている。封止部材２２は溝部２０内の室内側に配置され、連動機構２３は溝部２０内の室外側に配置されている。前記下枠２ｂの上面は略平面に形成されている。下枠２ｂの上面は、室内の床面及び室外の床面と略同一平面に形成され、通行の障害とならないバリアフリーのフラット構造とされている。
【００２３】
図５の図示例の場合、封止部材２２は、アルミニウム合金の押出形材からなる本体２２ａと、該本体２２ａの上部に室外側に臨んでその長手方向に沿って設けられたゴム製又は軟質樹脂製の気密材２２ｂと、本体の室内露出面に設けられた樹脂形材からなる断熱カバー材２２ｃとから主に構成されている。封止部材２２は閉鎖時の折戸５と対応する長さに形成されており、封止部材２２及び連動機構２３は各折戸５と対応する位置に配設されている。なお、封止部材２２は、必ずしも断熱カバー材２２ｃを有していなくともよく、その場合、図６に示すように本体２２ａを薄形に形成することができる。連動機構２３の詳細については図７を用いて詳述する。
【００２４】
図６は図５と同要部の他の例を示す拡大断面図、図７は連動機構を示す図で、（ａ）は平面図、（ｂ）は（ａ）のＡ−Ａ線断面図、（ｃ）は室内側から見た正面図、（ｄ）は（ｃ）のＢ−Ｂ線断面図である。図６の折戸装置は非断熱構造に構成されており、これに対応して封止部材も非断熱構造で薄形に形成されている。連動機構２３は下枠２ｂの溝部２０において、閉鎖時の折戸５における落とし錠１８のロッド１７と対応する位置に配置されている。
【００２５】
連動機構２３は、前記落とし錠１８のロッド１７の直下に位置し、施錠時のロッド１７の下降により押下げられる受部材２４と、該受部材２４の両側に配置されて揺動可能に軸支された左右一対のレバー部材２５，２５とを備え、両レバー部材２５，２５の内側の一端間に受部材２４が支持され、両レバー部材２５，２５の外側の他端間に昇降出力部材２６が支持され、該昇降出力部材２６に前記封止部材２２が支持されている。
【００２６】
連動機構２３は、下枠２ｂ内である溝部２０底面に固着具例えばネジで取付けられる断面Ｕ字状のベース部材２７を有し、該ベース部材２７の室内側の一側壁２７ａに左右一対のレバー部材（アーム部材ともいう）２５，２５がそれぞれ支軸２８，２８を介して揺動可能（垂直回動可能ともいう）に軸支されている。受部材２４は、断面略逆Ｕ字状に形成され、ロッドの先端が当接される水平部２４ａと、該水平部の室内外方向両端から垂下された垂直部２４ｂ，２４とを有し、該室内側の垂直部２４ｂは水平部２４ａ及び室外側垂直部２４ｃよりも左右方向に幅広に形成され、該垂直部２４ｂには左右一対の突軸２９，２９が突設されており、各突軸２９には各レバー部材２５の一端に形成された嘴状ないしＵ字状の支持溝３０が摺動可能に嵌合されている。左右方向に長いレバー状の昇降出力部材２６には左右一対の突軸３１，３１が突設され、各突軸３１が各レバー部材２５の他端に形成された長穴３２に摺動可能に嵌合されている。
【００２７】
昇降出力部材２６にはその両端に取付部２６ａ，２６ａが形成され、両取付部２６ａ，２６ａに対して前記封止部材２２が水平に取付けられている。封止部材２２の本体２２ａには気密材２２ｂと同じ側に水平片部２２ｄが長手方向に沿って形成されており、この水平片部２２ｄが昇降出力部材２６の取付部２６ａに下方からネジ３３で固定されている。なお、水平片部２２ｄには、連動機構２３との干渉を回避するために両取付部２２ａ，２６ａ間の領域に対応して切欠部３４が形成されている。
【００２８】
てこの原理で押し上げられた昇降出力部材２６及び封止部材２２は、ロッド１７を引き上げると、自重で降下して元の位置に戻る（復帰する）が、この復帰動作（受部材を上限である待機位置に復帰させる動作も含む）を確実に行うために、両レバー部材２５，２５の他端部間には付勢手段である引張バネ３５が取付けられている。図示例では、両レバー部材２５，２５の他端部に突起部３６，３６が形成され、両突起部３６，３６間に引張バネ３５が掛け渡されている。
【００２９】
連動機構２３は、施錠を行うべく落とし錠１８のロッド１７を押し下げると、該ロッド１７が待機位置にある受部材２４を押し下げ、これにより左右のレバー部材２５，２５がてこの原理で昇降出力部材２６を押し上げ、これにより封止部材２２が下枠２ｂ内から上方に略垂直に突出移動して気密材２２ｂを介して折戸５の室内面に接し、下枠２ｂと折戸５の隙間を封止するようになっている。解錠を行うべく落とし錠１８のロッド１７を引き上げると、引張バネ３５の付勢力により受部材２４、レバー部材２５及び昇降出力部材２６が元の待機位置に復帰され、これと共に封止部材２２が下枠２ｂ内に退避、収納されるようになっている。
【００３０】
特に、レバー部材２５を採用することにより、受部材２４のストロークｓａ（例えばｓａ＝１０ｍｍ）を所定のレバー比で昇降出力部材２６のストロークｓｂ（例えばｓｂ=１３．３ｍｍ）に拡大することができる。また、レバー部材２４を正面略Ｚ字状に形成し、上側を一端、下側を他端とすることにより、狭いスペースで効率よく昇降動を伝達できるようになっている。更に、左右一対のレバー部材２５，２５を採用することにより、ロッド１７の押し下げ上げ動作により長尺の封止部材２２を平行に保ったまま安定して押し上げ下げすることができるようになっている。また、連動機構２３は、その構成部材であるベース部材２７、受部材２４、レバー部材２５及び昇降出力部材２６を金属板により形成することにより、構造の簡素化、小型化、軽量化及び強度の向上が図られている。
【００３１】
次に、以上の構成からなる折戸装置の作用を述べる。先ず、折戸５を開放状態から閉める場合には、ハンドル１６を握って手前（室内側）に引けばよく、これにより平面略逆Ｖ字状に折り畳まれた折戸５が左右方向に一直線状に展張されて閉鎖状態となる。次に、ハンドル１６を反時計方向に回すことにより、変換機構を介して落とし錠１８のロッド１７を押し下げ、ロッド１７が下枠２ｂの溝部２０に挿入することにより施錠がなされる。
【００３２】
この施錠と同時に、前記ロッド１７が連動機構２３の受部材２４を押し下げることにより、レバー部材２５を介して昇降出力部材２６が押し上げられ、該昇降出力部材２６と共に封止部材２２が下枠２ｂ内から上方に垂直に突出し、封止部材２２により上面が略平面の下枠２ｂと折戸５との隙間を封止することができる。このように、封止部材２２を下枠２ｂ内から上方に突出させて下枠２ｂと折戸５との隙間を封止するように構成したので、下枠２ｂの上面がバリアフリーのフラット構造でありながら下枠２ｂと折戸５の隙間を封止して水気密性の向上が図れると共に、封止部材２２の設置スペースの縮小化及び連動機構２３の構造の簡素化が図れる。
【００３３】
また、落とし錠１８のロッド１７の動きに連動させて封止部材２２を下枠２ｂ内から上方の封止位置に突出させたり、封止位置から下枠２ｂ内の収納位置に退避させたりするように連動機構２３を構成したので、施解錠操作に連動させて封止部材２２を確実に突没させることができると共に、折戸５を複数備えている折戸装置の場合、各折戸５毎に封止部材２２を突没させることができる。すなわち、折戸５を複数備えている折戸装置の場合、全ての折り戸５を閉鎖して全ての落とし錠１８を施錠することにより、折戸５に対応する全ての封止部材２２を押し上げて各折戸５と下枠２ｂの隙間を封止することができ、複数の折戸５のうちの一つの折戸５を開放する場合、開放した折戸５に対応する封止部材２２のみが下枠２ｂ内に退避されるため、折戸５の開放された部分から出入りする際に封止部材２２に躓いたり、踏みつけたりする恐れがなく、安全に通行することができる。
【００３４】
一方、折戸５を開放する場合には、先ずハンドル１６を時計方向に回すことにより落とし錠１８のロッド１７を下枠２ｂ内から引き上げて解錠する。このロッド１７の引き上げに追従して、封止部材２２及び昇降出力部材２６の荷重（自重）及び引張バネ３５の付勢力により連動機構２３の受部材２４が元の待機位置に復帰すると共に、封止部材２２が下枠２ｂ内に退避収納される。そして、ハンドル１６を室外側に押し出すことにより折戸５が中間部で屈曲して折り畳まれ、折戸５が開放される。
【００３５】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、下枠には、折戸開閉に係わる部材例えば折戸自体或いはハンドル又は落とし錠のロッドと連動し、折戸閉鎖時に下枠内から上方に突出して下枠と折戸との隙間を封止し、折戸開放時に下枠内に退避する封止部材が突没可能に設けられていてもよい。
【図面の簡単な説明】
【００３６】
【図１】本発明の実施の形態である折戸装置を概略的に示す室内側正面図である。
【図２】折戸装置の概略的横断面図である。
【図３】折戸を開けた状態を示す概略的横断面図である。
【図４】下枠に設けた封止部材の動きを説明する説明図である。
【図５】同要部拡大断面図である。
【図６】同要部の他の例を示す拡大断面図である。
【図７】連動機構を示す図で、（ａ）は平面図、（ｂ）は（ａ）のＡ−Ａ線断面図、（ｃ）は室内側から見た正面図、（ｄ）は（ｃ）のＢ−Ｂ線断面図である。
【図８】従来の折戸装置に設けられたラップ式止水装置を概略的に示す斜視図である。
【符号の説明】
【００３７】
１  折戸装置
２  枠体
２ａ  上枠
２ｂ  下枠
２ｃ，２ｄ  縦枠
３  戸体
４  ヒンジ
５  折戸
１８  落とし錠
１７  ロッド
２２  封止部材
２３  連動機構
【図１】
2007023562.tif 000003
【図２】
2007023562.tif 000004
【図３】
2007023562.tif 000005
【図４】
2007023562.tif 000006
【図５】
2007023562.tif 000007
【図６】
2007023562.tif 000008
【図７】
2007023562.tif 000009
【図８】
2007023562.tif 000010